(57)【特許請求の範囲】
【請求項１】
可動に支持された少なくとも１つの扉（３ａ）をガイドするためのガイドシステム（５）であって、
前記扉（３ａ）をガイドするための、長手方向（Ｌ）を有する第１のガイドレール（６）と、
前記少なくとも１つの扉（３ａ）をガイドするための第２のガイドレール（１１）であって、組付け状態で前記第１のガイドレール（６）の前記長手方向（Ｌ）に対して横方向に延在している第２のガイドレール（１１）と、
前記少なくとも１つの扉（３ａ）を、組付け状態で前記第１のガイドレール（６）の前記長手方向（Ｌ）に対して横方向に延びる方向で、前記第２のガイドレール（１１）に対して相対的に、走出位置と走入位置との間で可動に支持する支持体（１４）と、
少なくとも１つの蓄力器（２０）を備えた駆動装置（２８）であって、前記支持体（１４）を、前記支持体（１４）の前記走入位置から、前記蓄力器（２０）の力によって、少なくとも所定の区分で前記支持体（１４）の前記走出位置の方向へ放出することができ、かつ連結部材（２１）と制御カム（１２）とを備えた駆動装置（２８）と、
を含むガイドシステム（５）において、
前記連結部材（２１）と前記制御カム（１２）とは、前記走出位置と前記走入位置との間の前記支持体（１４）の移動の大部分にわたって互いに分離されていて、前記支持体（１４）は、前記連結部材（２１）が前記制御カム（１２）に連結した状態で、前記走入位置のすぐ手前の位置から前記走入位置へと引込み可能であることを特徴とする、ガイドシステム（５）。
【請求項２】
前記連結部材（２１）が、前記支持体（１４）に配置されている、または前記支持体（１４）と共に移動可能であって、前記制御カム（１２）が、前記第２のガイドレール（１１）に、または本体固定の部分に配置されている、
または、
前記連結部材（２１）が、前記第２のガイドレール（１１）に、または本体固定の部分に配置されていて、前記制御カム（１２）が前記支持体（１４）に配置されている、または前記支持体（１４）と共に移動可能である、
請求項１記載のガイドシステム。
【請求項３】
前記連結部材（２１）は、２腕式レバーとして形成されている、請求項１または２記載のガイドシステム。
【請求項４】
前記連結部材（２１）は、第１のレバー端部（２１ａ）と第２のレバー端部（２１ｂ）とを有しており、前記第２のレバー端部（２１ｂ）は前記少なくとも１つの蓄力器（２０）と協働し、前記第１のレバー端部（２１ａ）は、押圧部材（１８）、好適には押圧ローラ（１８ａ）を介して、前記制御カム（１２）に沿って移動可能である、請求項３記載のガイドシステム。
【請求項５】
前記連結部材（２１）を前記走入位置で解除可能にロックすることができるロックレバー（２２）が設けられている、請求項１から４までのいずれか１項記載のガイドシステム。
【請求項６】
前記走入位置から、前記走入位置の後方に位置する過剰押圧位置へと前記支持体（１４）を過剰押圧することにより、前記ロックレバー（２２）と前記連結部材（２１）との間のロックは解除可能である、請求項５記載のガイドシステム。
【請求項７】
前記ロックレバー（２２）は、ばねエレメント（２６）によって、前記連結部材（２１）を解放する解除位置の方向で予荷重をかけられている、請求項５または６記載のガイドシステム。
【請求項８】
前記ばねエレメント（２６）は、タイミングエレメント（２９）の力に抗して作用し、したがって、前記連結部材（２１）は、前記タイミングエレメント（２９）の遅延させる力により、所定の期間後に初めて前記解除位置へと移動可能である、請求項７記載のガイドシステム。
【請求項９】
前記タイミングエレメント（２９）は、前記ロックレバー（２２）に配置された歯列（２２ａ）と噛合するピニオン（２３）を備えた回転ダンパを有している、請求項８記載のガイドシステム。
【請求項１０】
前記回転ダンパは、流体ダンパとして形成されている、請求項９記載のガイドシステム。
【請求項１１】
前記蓄力器（２０）は少なくとも１つのコイルばね、好適には引っ張りばねを有している、請求項１から１０までのいずれか１項記載のガイドシステム。
【請求項１２】
少なくとも１つの扉（３ａ）と、請求項１から１１までのいずれか１項記載の、前記少なくとも１つの扉（３ａ）をガイドするためのガイドシステム（５）とを備えた装置。
【請求項１３】
前記装置は、少なくとも１つの第２の扉（３ｂ）を有しており、前記第２の扉は、前記第１の扉（３ａ）に、組付け状態で鉛直方向に延在する軸を介してヒンジ結合されている、請求項１２記載の装置。
【請求項１４】
請求項１から１１までのいずれか１項記載のガイドシステム、または請求項１２または１３記載の装置を備えた家具。
【請求項１５】
前記家具（１）は、家具本体（２）と、前記家具本体（２）に対して相対的に可動に支持された少なくとも２つの扉（３ａ，３ｂ）とを有しており、前記扉（３ａ，３ｂ）は組付け状態で、鉛直方向に延在する軸を介して互いにヒンジ結合されており、前記少なくとも２つの扉（３ａ，３ｂ）は、前記扉（３ａ，３ｂ）が実質的に互いに平行に向けられている第１の位置と、前記扉（３ａ，３ｂ）が実質的に互いに同一平面を成すように向けられている第２の位置との間で、前記ガイドシステム（５）によって移動可能である、請求項１４記載の家具。
【発明の詳細な説明】
【技術分野】
【０００１】
本発明は、可動に支持された少なくとも１つの扉をガイドするためのガイドシステムであって、
少なくとも１つの扉をガイドするための、長手方向を有する第１のガイドレールと、
少なくとも１つの扉をガイドするための第２のガイドレールであって、組付け状態で第１のガイドレールの長手方向に対して横方向に延在している第２のガイドレールと、
少なくとも１つの扉を、組付け状態でガイドレールの長手方向に対して横方向に延びる方向で、第２のガイドレールに対して相対的に、走出位置と走入位置との間で可動に支持する支持体と、
少なくとも１つの蓄力器を備えた駆動装置であって、支持体を、支持体の走入位置から、蓄力器の力によって、少なくとも所定の区分で支持体の走出位置の方向で放出することができ、かつ連結部材と制御カムとを備えた駆動装置と、
を含む、ガイドシステムに関する。
【０００２】
本発明はさらに、少なくとも１つの扉と、上述した形式のガイドシステムとを備えた装置に関する。本発明はさらに、このような形式のガイドシステムまたは上述した形式の装置を備えた家具に関する。
【０００３】
国際公開第２０１６／０８１９６１号には、１つの扉を有した家具が開示されており、この扉は、家具本体を閉鎖する第１の位置から、家具本体の側方の中空室に扉を挿入することができる第２の位置へと移動可能である。この場合、中空室内に挿入された位置から中空室の外側に位置する位置へと、扉を機械的な駆動装置によって放出することができる。この場合、駆動装置は、中空室の奥行きにわたって延在する制御カムを含み、蓄力器によって負荷された押圧ローラの形態の制御エレメントが、この制御カムに沿って転動することができる。この場合の欠点は、制御カムの配置が、扉の幅およびスロットの奥行きに依存していて、したがって高い材料コストに結びつくことにある。さらに、扉の走入運動および走出運動の際に押圧ローラは中空室の奥行き全体にわたって制御カムに沿って転動し、この場合、扉の移動は、押圧ローラと制御カムとの間の摩擦により遅くなり、同時に望ましくないノイズを発生させる。さらに扉を挿入終端位置へと挿入するためには、大きな力をかける必要がある。なぜならば、挿入運動の終了近くでは手動で力を加えることにより押圧ローラを比較的長い距離にわたって、蓄力器の力に抗して制御カムの隆起部に沿って移動させなければならないからであり、こうすることによって蓄力器には扉を放出するために再び力が蓄えられる。
【０００４】
米国特許出願公開第２０１５／０００８８１１号明細書には、互いにヒンジ結合された２つの扉のためのガイドシステムが開示されており、これらの扉は、互いに直交して延在しているガイドレールに沿って可動に支持されている。扉が互いに平行に向けられて初めて、扉は家具の奥行き方向で可動となる。
【０００５】
オーストリア国特許出願公開第５０２４１７号明細書には、引出しのためのロック可能な放出装置が開示されており、この放出装置は、引出しを、閉鎖する終端位置の後方に位置する解除位置へと過剰押圧することによりロック解除可能である。ロック解除が行われた後、引出しは、ばねの力により開放位置へと放出される。引出しを閉じる際に、引出しを引き出すガイドの引出しレールは、連結エレメントを介して引込み装置に連結され、これにより引出しは引込み装置の蓄力器によって、閉鎖する終端位置へと引き込み可能である。
【０００６】
本発明の課題は、上述した欠点のうちの少なくとも１つを回避する冒頭で述べた形式のガイドシステムを提供することである。
【０００７】
この課題は、本発明によれば、請求項１の特徴により解決される。本発明の別の好適な構成は、従属請求項に記載されている。
【０００８】
すなわち本発明によれば、連結部材と制御カムとは、走出位置と走入位置との間の支持体の移動の大部分にわたって互いに分離されていて、支持体は、連結部材が制御カムに連結した状態で、走入位置のすぐ手前に位置する位置から走入位置へと引込み可能である。
【０００９】
したがって、連結部材と制御カムとは、支持体の移動距離の大部分にわたって互いに独立して自由に移動可能であり、走入位置の方向での支持体の挿入運動の終了近くになって初めて互いに連結され、この場合、駆動装置の蓄力器には、連結部材と制御カムとの協働により力が蓄えられ、次いで支持体は、蓄力器の力により走入位置へと引き込み可能である。支持体の走入位置では、蓄力器には少なくとも部分的に力が蓄えられるので、支持体は、蓄力器の蓄えられたエネルギによって、走入位置から再び走出位置の方向で放出可能となる。このような放出は、人為的に活性化された後に行うことができ、例えば、支持体を走入位置でロックし、この走入位置から、走入位置の後方に位置する過剰押圧位置へと過剰に押圧することによりロックを解除することができ、これに続いて支持体を蓄力器の力により放出させることができる。
【００１０】
この場合、
連結部材が、支持体に配置されている、または支持体と共に移動可能であって、制御カムが、第２のガイドレールに、または本体固定の部分に配置されていてよい、
または、
連結部材が、第２のガイドレールに、または本体固定の部分に配置されていて、制御カムが支持体に配置されている、または支持体と共に移動可能であってよい。
【００１１】
本発明のさらなる詳細および利点は、図示した実施例につき説明する。
【図面の簡単な説明】
【００１２】
【図１ａ】ガイドシステムによって家具本体に対して相対的に可動に支持されている扉を備えた家具を示す斜視図である。
【図１ｂ】ガイドシステムによって家具本体に対して相対的に可動に支持されている扉を備えた家具を示す斜視図である。
【図２】ガイドシステムを備えた扉を示す斜視図である。
【図３】駆動装置を有した第２のガイドレールの後端領域を示す分解図である。
【図４ａ】第２のガイドレールの側面図である。
【図４ｂ】図４ａのガイドレールの一部の拡大詳細図である。
【図５ａ】走入位置の方向で図４ａおよび図４ｂに続く支持体の位置を示す図である。
【図５ｂ】走入位置の方向で図４ａおよび図４ｂに続く支持体の位置を示す図である。
【図６ａ】走入位置の方向でさらに続く支持体の動きを示す図である。
【図６ｂ】走入位置における支持体の位置を示す図である。
【図７ａ】放出方向へ支持体を動かすための支持体のロック解除と、支持体の過剰押圧位置とを示す図である。
【図７ｂ】放出方向へ支持体を動かすための支持体のロック解除と、支持体の過剰押圧位置とを示す図である。
【図８ａ】放出方向での支持体の１つの位置を示す図である。
【図８ｂ】放出方向での支持体の別の位置を示す図である。
【図９ａ】放出方向での支持体のさらに続く位置を示す図である。
【図９ｂ】第２のガイドレールの後端領域を示す斜視図である。
【００１３】
図１ａには、家具１の斜視図が示されており、この家具は、ガイドシステム５によって家具本体２に対して相対的に可動に支持されている扉３ａ，３ｂおよび４ａ，４ｂを有している。ガイドシステム５は、長手方向（Ｌ）を有した第１のガイドレール６と、長手方向（Ｌ）に対して横方向に、好適には直角に、延在している、扉３ａ，３ｂをガイドするための第２のガイドレール１１とを含み、扉３ｂに接続されたガイド装置８ａは、第１のガイドレール６に沿って、かつ第２のガイドレール１１に対して相対的に可動に支持されている。第１のガイドレール６と第２のガイドレール１１とは互いに別個に形成されていてよく、これらは組付け状態で、同じ高さ位置または異なる高さ位置を占めていてよい。選択的には第１のガイドレール６と第２のガイドレールとは一緒に一体に形成されていてもよい。
【００１４】
扉３ａ，３ｂは、互いに平行な位置で、側方の中空室７ａ内に挿入することができる。扉４ｂに接続された第２のガイド装置８ｂによって、別の両扉４ａ，４ｂを、第１のガイドレール６に対して相対的に動かすことができ、互いに平行な位置では、第２の側方の中空室７ｂ内へと挿入することができる。扉３ａ，３ｂおよび４ａ，４ｂはそれぞれ家具ヒンジ１０によって互いに旋回可能に接続されているので、すなわち扉３ａ，３ｂおよび４ａ，４ｂはそれぞれ、鉛直方向に延在する軸を中心として互いにヒンジ結合されている。図１ｂには家具１が示されており、この場合、扉３ａ，３ｂおよび４ａ，４ｂはそれぞれ互いに平行に向けられていて、長手方向（Ｌ）に対して横方向の方向（Ｚ）で、側方の中空室７ａ，７ｂ内に挿入可能となっている。
【００１５】
図２には、扉３ａおよび３ｂの斜視図が示されており、これらの扉は、扉３ｂに接続されたガイド装置８ａを介して、第１のガイドレール６に沿って移動可能である。ガイド装置８ａは、鉛直方向に延在する支持体１４に取り外し可能に連結可能であり、これによりガイド装置８ａは、扉３ａ，３ｂを一緒に、長手方向（Ｌ）に対して横方向の方向（Ｚ）で、第２のガイドレール１１に対して相対的に摺動させることができる。支持体１４は、組付け状態で移送位置へと移動可能であり、この移送位置で支持体１４は長手方向（Ｌ）で第１のガイドレール６に接続されていて、これによりガイド装置８ａは、第１のガイドレール６と支持体１４との間で往復移動可能である。第２のガイドレール１１は、家具本体２の側壁２ａに取り付けられており、第２のガイドレール１１は後端領域で、支持体１４の（ここには示されていない）連結部材２１に取り外し可能に連結するための制御カム１２と、方向（Ｚ）での支持体１４の動きを緩衝するための緩衝装置１３とを有していて、この緩衝装置は例えば、ピストンシリンダユニットを備えた少なくとも１つの直線ダンパである。支持体１４はすなわち、走出位置と走入位置との間で、第２のガイドレール１１に対して相対的に可動に支持されており、支持体１４の下端領域は、例えばころを介して、別のガイドレール１５に対して相対的にガイドされている。支持体１４の高さはこの場合、扉３ａ，３ｂの高さの大部分にわたって延在していてよい。支持体１４は例えば、曲げられたレール形材によって形成されていてよい。
【００１６】
図３には、駆動装置２８を有した第２のガイドレール１１の後端領域が分解図で示されている。駆動装置２８によって、支持体１４を、挿入運動の終了近くで、蓄力器２０の力によって走入位置へと、第２のガイドレール１１に対して相対的に方向（Ｚ）で引き込むことができ、ロック解除が行われた後は同じ蓄力器２０の力により、再び、挿入位置から方向（Ｚ）とは逆方向に放出することができる。第２のガイドレール１１には支持部分２７が取り付けられており、この支持部分には制御カム１２が配置されているまたは形成されている。支持体１４は、水平方向の回転軸を有した少なくとも１つのころ２５ａと、鉛直方向の回転軸を有した少なくとも１つのころ２５ｂとを有しており、ころ２５ａと２５ｂとは、第２のガイドレール１１の走行ウェブに沿って転動可能である。支持体１４には、連結部材２１が回転軸２４を中心として旋回可能に支持されており、連結部材２１は図示した実施例では、２つのレバー端部２１ａ，２１ｂを有した２腕式レバーとして形成されている。連結部材２１の第１のレバー端部２１ａには、押圧部材１８が、好適には、ジョイント軸１９を中心として回転可能な押圧ローラ１８ａが支持されており、押圧ローラ１８ａは、支持体１４の移動により、方向（Ｚ）で制御カム１２に沿って移動可能である。方向（Ｚ）での緩衝装置１３（図２）への支持体１４の移動は、ストッパ１７によって実施することができ、したがって支持体１４の移動は走入位置まで制動可能である。ロックレバー２２によって、連結部材２１は、走入位置で解除可能にロック可能であり、ロックレバー２２は、ばねエレメント２６によって、連結部材２１を解放する解除位置の方向に予荷重をかけられている。ばねエレメント２６は、タイミングエレメント２９（図４ｂ）の力に抗して作用し、したがって、ロックレバー２２と連結部材２１との間のロックは、タイミングエレメント２９の遅延させる力により、所定の期間後に初めて解除可能となる。このような機能は、支持体１４が、蓄力器２０の力による走入が行われた後に、すぐに再び走出位置へと放出されないようにするものである。
【００１７】
図４ａには、第２のガイドレール１１が側面図で示されており、この場合、後端領域には、制御カム１２を備えた支持部分２７が取り付けられている。支持体１４は、理解しやすくする目的で部分的に示されていない。支持体１４には、連結部材２１が回転軸２４を中心として旋回可能に支持されており、連結部材２１と制御カム１２とは、走出位置と走入位置との間の支持体１４の移動の大部分にわたって、互いに分離されており、走入位置の終端部近くで初めて互いに連結可能である。このような連結は、連結部材２１、この場合、押圧部材１８が、方向（Ｚ）で動く際に制御カム１２に当接すると（図４ｂ）行われる。
【００１８】
図４ｂには、図４ａの取り囲んだ領域が拡大されて示されている。連結部材２１は、回転軸２４を中心として旋回可能に支持されていて、２つのレバーアーム２１ａおよび２１ｂを有しており、第１のレバーアーム２１ａに配置された、押圧ローラ１８ａの形態の押圧部材１８が、支持部分２７の制御カム１２に当接する。連結部材２１の第２のレバーアーム２１ｂには、蓄力器２０が作用しており、この蓄力器は図示した図では弛緩状態にある。蓄力器２０は、１つ以上のコイルばねを含んでいてよい。図示した図では、蓄力器２０は引っ張りばねとして形成されているので、押圧部材１８は、支持体１４が方向（Ｚ）で移動を継続する場合に、蓄力器２０の力により制御カム１２に向かって押し付けられ得る。支持体１４（部分的にのみ示されている）には、好適には流体ダンパとして形成された回転ダンパの形態のタイミングエレメント２９が支持されており、回転ダンパのピニオン２３は、ロックレバー２２の歯列２２ａと噛合している。
【００１９】
図５ａには、図４ａおよび図４ｂに続く、走入位置の方向（Ｚ）での支持体１４の動きが示されている。方向（Ｚ）での支持体１４の移動により、押圧部材１８はまず、制御カム１２の緊張区分に沿って移動可能であり、この場合、２腕式レバーの形態の連結部材２１は、反時計回りで傾き、引っ張りばねの形態の蓄力器２０は緊張させられる。図５ｂは、方向（Ｚ）での支持体１４の続きの動きが示されており、この場合、押圧部材１８は、制御カム１２の最も高い領域に位置しており、したがって蓄力器２０は最大限に緊張させられている。
【００２０】
図６ａには、走入位置の方向（Ｚ）での支持体１４の続きの動きが示されている。押圧部材１８は、その前の図５ｂから出発して、制御カム１２がこの領域で、連結部材２１の回転軸２４に対して減じられた相対間隔を形成しているので、今や制御カム１２の引込み区分に沿って移動可能に支持されている。このようにして、蓄力器２０は弛緩することができ、これにより支持体１４（と、ひいては扉３ａ，３ｂと）は、弛緩する蓄力器２０の力により方向（Ｚ）で引き込まれる。押圧ローラ１８ａの形態の押圧部材１８が支持されているジョイント軸１９は、この場合、ロックレバー２２の凹部２２ｃ内へと移動される。ジョイント軸１９が凹部２２ｃ内に進入することにより、ロックレバー２２は回転軸２２ｂを中心として時計回りに旋回され、この場合、ロックレバー２２の歯列２２ａとタイミングエレメント２９（回転ダンパ）のピニオン２３とは互いに噛合しながら転動し、引っ張りばねの形態のばねエレメント２６は緊張させられる。支持体１４はこの場合、ストッパ１７に当接し、これにより、方向（Ｚ）での支持体１４の移動は、走入位置まで緩衝装置１３（図２）によって制動させることができる。
【００２１】
図６ｂには、支持体１４の走入位置が示されており、押圧ローラ１８ａの形態の押圧部材１８は、制御カム１２のロック区分１２ｃ（図６ａ）、好適には凹部に、解除可能にロックされていて、これにより支持体１４は図示した走入位置では、所定の力によって保持されている。押圧部材１８のジョイント軸１９は、この場合、ロックレバー２２の凹部２２ｃに解除可能にロックされており、この場合、ばねエレメント２６および蓄力器２０は緊張状態にある。方向（Ｚ）での支持体１４の最終的な引込み経路は、緩衝装置１３によって制動され、この場合、ストッパ１７は図６ａと直接比較して、方向（Ｚ）で押し込まれている。
【００２２】
図７ａには、走入位置から、走入位置の後方に位置する過剰押圧位置へと支持体１４を過剰押圧することにより、ロックレバー２２と連結部材２１との間のロックが解除された後の、支持体１４の位置が示されている。すなわち支持体１４は、手動で力を加えることにより過剰押圧位置へと移動させられ、このときに、ジョイント軸１９とロックレバー２２の凹部２２ｃとの間のロックは解除可能である。ロックレバー２２は、押圧部材１８のジョイント軸１９とロックレバー２２との間のロックの解除により、および弛緩するばねエレメント２６の力により、反時計回りで旋回され、この場合、ロック解除位置へのロックレバー２２のこのような運動は、回転ダンパの形態のタイミングエレメント２９により緩衝される。この場合、回転ダンパのピニオン２３は、ロックレバー２２の歯列２２ａに沿って転動するので、反時計回りでのロックレバー２２の運動は緩衝される（図７ｂ）。回転ダンパの形態のタイミングエレメント２９によりすなわち、支持体１４（と、ひいては扉３ａ，３ｂと）は、走入位置に達した際に、すぐに再び方向（Ｚ）に反して放出されることはない。
【００２３】
図８ａには、走入位置からの支持体１４の放出方向（Ａ）での放出過程が示されている。押圧ローラ１８ａの形態の押圧部材１８は、支持部分２７に設けられた凹部２７ａに支持されているので、支持体１４（と、ひいては扉３ａ，３ｂと）は、弛緩する蓄力器２０の力により放出方向（Ａ）で放出可能である。図８ｂには、放出方向（Ａ）での支持体１４の続いて行われる移動が示されている。
【００２４】
図９ａには、放出方向（Ａ）での支持体１４のさらに続いて行われる移動が示されている。連結部材２１は、蓄力器２０の残っている力により、回転軸２４を中心として反時計回りで旋回され、連結部材２１は制御カム１２から連結解除され、支持体１４は、連結されていない状態で、放出方向（Ａ）にさらに移動可能である。支持体１４の次に行われる走入運動では、既に図４ｂにつき示し、説明したように、連結部材２１が再び制御カム１２に連結可能である。
【００２５】
図９ｂには、第２のガイドレール１１の後端領域が示されており、制御カム１２を有した支持部分２７は、第２のガイドレール１１に沿って、または家具本体２の側壁２ａ（図２）に沿って定置に組み付けられている。さらに、方向（Ｚ）での支持体１４の移動を緩衝するための緩衝装置１３が示されており、この緩衝装置は図示した実施例では、ピストンシリンダユニットとして形成されている。ストッパ１７は、緩衝シリンダ１３ｂと好適には一体に結合されている。ストッパ１７は、支持体１４の方向（Ｚ）での移動により押込み可能であり、これにより、緩衝シリンダ１３ｂは、緩衝行程を実施するために、方向（Ｚ）でダンパケーシング１３ａに対して相対的に摺動可能であり、ダンパケーシング１３ａに対して相対的な緩衝シリンダ１３ｂの移動は、好適には油圧的な、緩衝媒体の抵抗により制動可能である。
【図１ａ】
0006906632.tif 000002
【図１ｂ】
0006906632.tif 000003
【図２】
0006906632.tif 000004
【図３】
0006906632.tif 000005
【図４ａ】
0006906632.tif 000006
【図４ｂ】
0006906632.tif 000007
【図５ａ】
0006906632.tif 000008
【図５ｂ】
0006906632.tif 000009
【図６ａ】
0006906632.tif 000010
【図６ｂ】
0006906632.tif 000011
【図７ａ】
0006906632.tif 000012
【図７ｂ】
0006906632.tif 000013
【図８ａ】
0006906632.tif 000014
【図８ｂ】
0006906632.tif 000015
【図９ａ】
0006906632.tif 000016
【図９ｂ】
0006906632.tif 000017